【手続補正書】
【提出日】平成25年5月15日(2013.5.15)
【手続補正１】
【補正対象書類名】明細書
【補正対象項目名】００１１
【補正方法】変更
【補正の内容】
【００１１】
本発明に係る空気調和機は、吸込口及び吹出口が形成された筐体と、羽根車を有し、前記筐体に設けられた複数の送風ファンと、前記筐体に設けられ、前記送風ファンからの送風を熱交換する熱交換器と、前記送風ファンから放射される騒音を検出する騒音検出装置と、前記騒音を低減させる制御音を出力する制御音出力装置と、前記制御音による消音効果を検出する消音効果検出装置と、前記騒音検出装置及び前記消音効果検出装置の検出結果に基づき、前記制御音出力装置に前記制御音を出力させる制御音生成装置と、複数の前記送風ファンに対して個別に回転数制御を行う制御装置と、を備えたものである。
【手続補正２】
【補正対象書類名】明細書
【補正対象項目名】００１２
【補正方法】変更
【補正の内容】
【００１２】
また、本発明に係る空気調和機は、吸込口及び吹出口が形成された筐体と、羽根車を有し、前記筐体に設けられた複数の送風ファンと、前記筐体に設けられ、前記送風ファンからの送風を熱交換する熱交換器と、前記送風ファンから放射される騒音を低減させる制御音を出力する制御音出力装置と、前記騒音を検出するとともに、前記制御音の消音効果を検出する騒音・消音効果検出装置と、前記騒音・消音効果検出装置の検出結果に基づき、前記制御音出力装置に前記制御音を出力させる制御音生成装置と、複数の前記送風ファンに対して個別に回転数制御を行う制御装置と、を備えたものである。
【手続補正３】
【補正対象書類名】明細書
【補正対象項目名】００１３
【補正方法】変更
【補正の内容】
【００１３】
また、本発明に係る空気調和機は、吸込口及び吹出口が形成された筐体と、羽根車を有し、前記筐体に設けられた複数の送風ファンと、前記筐体に設けられ、前記送風ファンからの送風を熱交換する熱交換器と、前記送風ファンから放射される騒音を検出する騒音検出装置と、前記騒音を低減させる制御音を出力する制御音出力装置と、前記制御音による消音効果を検出する消音効果検出装置と、前記騒音検出装置及び前記消音効果検出装置の検出結果に基づき、前記制御音出力装置に前記制御音を出力させる制御音生成装置と、複数の前記送風ファンに対して個別に回転数制御を行う制御装置と、を備え、前記制御装置は、前記筐体の両端に配置された前記送風ファンの回転数を高くする回転数制御、及び前記筐体の両端に配置された前記送風ファン以外の前記送風ファンの回転数を低くする回転数制御のうちの少なくとも一方の回転数制御を行うものである。
【手続補正４】
【補正対象書類名】明細書
【補正対象項目名】００１４
【補正方法】変更
【補正の内容】
【００１４】
また、本発明に係る空気調和機は、吸込口及び吹出口が形成された筐体と、羽根車を有し、前記筐体に設けられた複数の送風ファンと、前記筐体に設けられ、前記送風ファンからの送風を熱交換する熱交換器と、前記送風ファンから放射される騒音を低減させる制御音を出力する制御音出力装置と、前記騒音を検出するとともに、前記制御音の消音効果を検出する騒音・消音効果検出装置と、前記騒音・消音効果検出装置の検出結果に基づき、前記制御音出力装置に前記制御音を出力させる制御音生成装置と、複数の前記送風ファンに対して個別に回転数制御を行う制御装置と、を備え、前記制御装置は、前記筐体の両端に配置された前記送風ファンの回転数を高くする回転数制御、及び前記筐体の両端に配置された前記送風ファン以外の前記送風ファンの回転数を低くする回転数制御のうちの少なくとも一方の回転数制御を行うものである。
【手続補正５】
【補正対象書類名】特許請求の範囲
【補正対象項目名】全文
【補正方法】変更
【補正の内容】
【特許請求の範囲】
【請求項１】
吸込口及び吹出口が形成された筐体と、
羽根車を有し、前記筐体に設けられた複数の送風ファンと、
前記筐体に設けられ、前記送風ファンからの送風を熱交換する熱交換器と、
前記送風ファンから放射される騒音を検出する騒音検出装置と、
前記騒音を低減させる制御音を出力する制御音出力装置と、
前記制御音による消音効果を検出する消音効果検出装置と、
前記騒音検出装置及び前記消音効果検出装置の検出結果に基づき、前記制御音出力装置に前記制御音を出力させる制御音生成装置と、
複数の前記送風ファンに対して個別に回転数制御を行う制御装置と、
を備えたことを特徴とする空気調和機。
【請求項２】
前記制御装置は、前記送風ファンから放射される騒音に対して前記制御音を干渉させたときの消音効果に基づき、複数の前記送風ファンの回転数を制御することを特徴とする請求項１に記載の空気調和機。
【請求項３】
前記制御装置は、前記消音効果検出装置で検出した消音効果に基づき、前記消音効果検出装置にて検出した音と前記送風ファンとの関連性に応じて、前記送風ファンの回転数を変化させることを特徴とする請求項１又は請求項２に記載の空気調和機。
【請求項４】
前記制御装置は、
検出した消音効果が大きい前記消音効果検出装置にて検出された音と最も関連性の高い騒音を放射している前記送風ファンの回転数を高くする回転数制御、及び当該消音効果検出装置にて検出された音と最も関連性の低い騒音を放射している前記送風ファンの回転数を低くする回転数制御のうちの少なくとも一方の回転数制御を行うことを特徴とする請求項３に記載の空気調和機。
【請求項５】
前記制御装置は、
検出した消音効果が小さい前記消音効果検出装置にて検出された音と最も関連性の高い騒音を放射している前記送風ファンの回転数を低くする回転数制御を行うことを特徴とする請求項３又は請求項４に記載の空気調和機。
【請求項６】
複数の前記消音効果検出装置を備え、
前記制御装置は、
複数の前記消音検出装置が検出した音圧レベルに基づき、
検出した音圧レベルが最も小さい前記消音効果検出装置にて検出された音と最も関連性の高い騒音を放射している前記送風ファンの回転数を高くする回転数制御、及び検出した音圧レベルが最も大きい前記消音効果検出装置にて検出された音と最も関連性の高い騒音を放射している前記送風ファンの回転数を低くする回転数制御のうちの少なくとも一方の回転数制御を行うことを特徴とする請求項３に記載の空気調和機。
【請求項７】
複数の前記騒音検出装置及び前記消音効果検出装置を備え、
前記制御装置は、
前記騒音検出装置の検出値と前記消音効果検出装置の検出値とのコヒーレンス値を算出し、
コヒーレンス値が最も大きい前記消音効果検出装置にて検出された音と最も関連性の高い騒音を放射している前記送風ファンの回転数を高くする回転数制御、及びコヒーレンス値が最も小さい前記消音効果検出装置にて検出された音と最も関連性の高い騒音を放射している前記送風ファンの回転数を低くする回転数制御のうちの少なくとも一方の回転数制御を行うことを特徴とする請求項３に記載の空気調和機。
【請求項８】
前記制御装置は、
前記消音効果検出装置に距離が近い前記送風ファンを記憶するメモリーを備え、
前記メモリーに記憶された前記消音効果検出装置に距離が近い前記送風ファンの回転数を高くする回転数制御、及び前記メモリーに記憶された前記消音効果検出装置に距離が近い前記送風ファン以外の前記送風ファンの回転数を低くする回転数制御のうちの少なくとも一方の回転数制御を行うことを特徴とする請求項２又は請求項３に記載の空気調和機。
【請求項９】
前記制御装置は、
前記消音効果検出装置に距離が近い前記送風ファンを記憶するメモリーを備え、
検出した音圧レベルが高い前記消音効果検出装置に距離が近い前記送風ファンの回転数を低くする回転数制御、及び検出した音圧レベルが低い前記消音効果検出装置に距離が近い前記送風ファンの回転数を高くする回転数制御のうちの少なくとも一方の回転数制御を行うことを特徴とする請求項２又は請求項３に記載の空気調和機。
【請求項１０】
前記制御装置は、
前記消音効果検出装置に距離が近い前記送風ファンを記憶するメモリーを備え、
前記騒音検出装置の検出値と前記消音効果検出装置の検出値とのコヒーレンス値を算出し、
コヒーレンス値が低い前記消音効果検出装置に距離が近い前記送風ファンの回転数を低くする回転数制御、及びコヒーレンス値が高い前記消音効果検出装置に距離が近い前記送風ファンの回転数を高くする回転数制御のうちの少なくとも一方の回転数制御を行うことを特徴とする請求項２又は請求項３に記載の空気調和機。
【請求項１１】
前記筺体内を、仕切り部材によって複数の領域に分割したことを特徴とする請求項１〜請求項１０のいずれか一項に記載の空気調和機。
【請求項１２】
前記制御装置は、
複数の前記送風ファンに対して個別に回転数制御する際、
複数の前記領域のうちで前記消音効果検出装置が設けられていない前記領域に設けられた前記送風ファンの回転数を低くする回転数制御を行うことを特徴とする請求項１１に記載の空気調和機。
【請求項１３】
前記制御装置は、
複数の前記送風ファンに対して個別に回転数制御する際、
複数の前記領域のうちで前記消音効果検出装置が設けられている前記領域に設けられた前記送風ファンの回転数を高くする回転数制御を行うことを特徴とする請求項１１又は請求項１２に記載の空気調和機。
【請求項１４】
前記制御装置は、
複数の前記送風ファンに対して個別に回転数制御する際、
当該回転数制御を行う前の風量と同等の風量となるように、複数の前記送風ファンを個別に回転数制御することを特徴とする請求項１〜請求項１３のいずれか一項に記載の空気調和機。
【請求項１５】
吸込口及び吹出口が形成された筐体と、
羽根車を有し、前記筐体に設けられた複数の送風ファンと、
前記筐体に設けられ、前記送風ファンからの送風を熱交換する熱交換器と、
前記送風ファンから放射される騒音を低減させる制御音を出力する制御音出力装置と、
前記騒音を検出するとともに、前記制御音の消音効果を検出する騒音・消音効果検出装置と、
前記騒音・消音効果検出装置の検出結果に基づき、前記制御音出力装置に前記制御音を出力させる制御音生成装置と、
複数の前記送風ファンに対して個別に回転数制御を行う制御装置と、
を備えたことを特徴とする空気調和機。
【請求項１６】
前記制御装置は、前記送風ファンから放射される騒音に対して前記制御音を干渉させたときの消音効果に基づき、複数の前記送風ファンの回転数を制御することを特徴とする請求項１５に記載の空気調和機。
【請求項１７】
前記制御装置は、前記騒音・消音効果検出装置で検出した消音効果に基づき、前記騒音・消音効果検出装置にて検出した音と前記送風ファンとの関連性に応じて、前記送風ファンの回転数を変化させることを特徴とする請求項１５又は請求項１６に記載の空気調和機。
【請求項１８】
前記制御装置は、
検出した消音効果が大きい前記騒音・消音効果検出装置にて検出された音と最も関連性の高い騒音を放射している前記送風ファンの回転数を高くする回転数制御、及び当該騒音・消音効果検出装置にて検出された音と関連性の低い騒音を放射している前記送風ファンの回転数を低くする回転数制御のうちの少なくとも一方の回転数制御を行うことを特徴とする請求項１７に記載の空気調和機。
【請求項１９】
前記制御装置は、
検出した消音効果が小さい前記騒音・消音効果検出装置にて検出された音と最も関連性の高い騒音を放射している前記送風ファンの回転数を低くする回転数制御を行うことを特徴とする請求項１７又は請求項１８に記載の空気調和機。
【請求項２０】
複数の前記騒音・消音効果検出装置を備え、
前記制御装置は、
複数の前記騒音・消音効果検出装置が検出した音圧レベルに基づき、
検出した音圧レベルが最も小さい前記騒音・消音効果検出装置にて検出された音と最も関連性の高い騒音を放射している前記送風ファンの回転数を高くする回転数制御、及び検出した音圧レベルが最も大きい前記騒音・消音効果検出装置にて検出された音と最も関連性の高い騒音を放射している前記送風ファンの回転数を低くする回転数制御のうちの少なくとも一方の回転数制御を行うことを特徴とする請求項１７に記載の空気調和機。
【請求項２１】
前記制御装置は、
前記騒音・消音効果検出装置に距離が近い前記送風ファンを記憶するメモリーを備え、
前記メモリーに記憶された前記騒音・消音効果検出装置に距離が近い前記送風ファンの回転数を高くする回転数制御、及び前記メモリーに記憶された前記騒音・消音効果検出装置に距離が近い前記送風ファン以外の前記送風ファンの回転数を低くする回転数制御のうちの少なくとも一方の回転数制御を行うことを特徴とする請求項１６又は請求項１７に記載の空気調和機。
【請求項２２】
前記制御装置は、
前記騒音・消音効果検出装置に距離が近い前記送風ファンを記憶するメモリーを備え、
検出した音圧レベルが高い前記騒音・消音効果検出装置に距離が近い前記送風ファンの回転数を低くする回転数制御、及び検出した音圧レベルが低い前記騒音・消音効果検出装置に距離が近い前記送風ファンの回転数を高くする回転数制御のうちの少なくとも一方の回転数制御を行うことを特徴とする請求項１６又は請求項１７に記載の空気調和機。
【請求項２３】
前記筺体内を、仕切り部材によって複数の領域に分割したことを特徴とする請求項１５〜請求項２２のいずれか一項に記載の空気調和機。
【請求項２４】
前記制御装置は、
複数の前記送風ファンに対して個別に回転数制御する際、
複数の前記領域のうちで前記騒音・消音効果検出装置が設けられていない前記領域に設けられた前記送風ファンの回転数を低くする回転数制御を行うことを特徴とする請求項２３に記載の空気調和機。
【請求項２５】
前記制御装置は、
複数の前記送風ファンに対して個別に回転数制御する際、
複数の前記領域のうちで前記騒音・消音効果検出装置が設けられている前記領域に設けられた前記送風ファンの回転数を高くする回転数制御を行うことを特徴とする請求項２３又は請求項２４に記載の空気調和機。
【請求項２６】
前記制御装置は、
複数の前記送風ファンに対して個別に回転数制御する際、
当該回転数制御を行う前の風量と同等の風量となるように、複数の前記送風ファンを個別に回転数制御することを特徴とする請求項１５〜請求項２５のいずれか一項に記載の空気調和機。
【請求項２７】
吸込口及び吹出口が形成された筐体と、
羽根車を有し、前記筐体に設けられた複数の送風ファンと、
前記筐体に設けられ、前記送風ファンからの送風を熱交換する熱交換器と、
前記送風ファンから放射される騒音を検出する騒音検出装置と、
前記騒音を低減させる制御音を出力する制御音出力装置と、
前記制御音による消音効果を検出する消音効果検出装置と、
前記騒音検出装置及び前記消音効果検出装置の検出結果に基づき、前記制御音出力装置に前記制御音を出力させる制御音生成装置と、
複数の前記送風ファンに対して個別に回転数制御を行う制御装置と、
を備え、
前記制御装置は、
前記筐体の両端に配置された前記送風ファンの回転数を高くする回転数制御、及び前記筐体の両端に配置された前記送風ファン以外の前記送風ファンの回転数を低くする回転数制御のうちの少なくとも一方の回転数制御を行うことを特徴とする空気調和機。
【請求項２８】
前記筺体内を、仕切り部材によって複数の領域に分割したことを特徴とする請求項２７に記載の空気調和機。
【請求項２９】
前記制御装置は、
複数の前記送風ファンに対して個別に回転数制御する際、
複数の前記領域のうちで前記消音効果検出装置が設けられていない前記領域に設けられた前記送風ファンの回転数を低くする回転数制御を行うことを特徴とする請求項２８に記載の空気調和機。
【請求項３０】
前記制御装置は、
複数の前記送風ファンに対して個別に回転数制御する際、
複数の前記領域のうちで前記消音効果検出装置が設けられている前記領域に設けられた前記送風ファンの回転数を高くする回転数制御を行うことを特徴とする請求項２８又は請求項２９に記載の空気調和機。
【請求項３１】
前記制御装置は、
複数の前記送風ファンに対して個別に回転数制御する際、
当該回転数制御を行う前の風量と同等の風量となるように、複数の前記送風ファンを個別に回転数制御することを特徴とする請求項２７〜請求項３０のいずれか一項に記載の空気調和機。
【請求項３２】
吸込口及び吹出口が形成された筐体と、
羽根車を有し、前記筐体に設けられた複数の送風ファンと、
前記筐体に設けられ、前記送風ファンからの送風を熱交換する熱交換器と、
前記送風ファンから放射される騒音を低減させる制御音を出力する制御音出力装置と、
前記騒音を検出するとともに、前記制御音の消音効果を検出する騒音・消音効果検出装置と、
前記騒音・消音効果検出装置の検出結果に基づき、前記制御音出力装置に前記制御音を出力させる制御音生成装置と、
複数の前記送風ファンに対して個別に回転数制御を行う制御装置と、
を備え、
前記制御装置は、
前記筐体の両端に配置された前記送風ファンの回転数を高くする回転数制御、及び前記筐体の両端に配置された前記送風ファン以外の前記送風ファンの回転数を低くする回転数制御のうちの少なくとも一方の回転数制御を行うことを特徴とする空気調和機。
【請求項３３】
前記筺体内を、仕切り部材によって複数の領域に分割したことを特徴とする請求項３２に記載の空気調和機。
【請求項３４】
前記制御装置は、
複数の前記送風ファンに対して個別に回転数制御する際、
複数の前記領域のうちで前記騒音・消音効果検出装置が設けられていない前記領域に設けられた前記送風ファンの回転数を低くする回転数制御を行うことを特徴とする請求項３３に記載の空気調和機。
【請求項３５】
前記制御装置は、
複数の前記送風ファンに対して個別に回転数制御する際、
複数の前記領域のうちで前記騒音・消音効果検出装置が設けられている前記領域に設けられた前記送風ファンの回転数を高くする回転数制御を行うことを特徴とする請求項３３又は請求項３４に記載の空気調和機。
【請求項３６】
前記制御装置は、
複数の前記送風ファンに対して個別に回転数制御する際、
当該回転数制御を行う前の風量と同等の風量となるように、複数の前記送風ファンを個別に回転数制御することを特徴とする請求項３２〜請求項３５のいずれか一項に記載の空気調和機。